(57)【特許請求の範囲】
【請求項１】
破砕室内に入れられた破砕対象物をこの破砕室内に配設された破砕手段により破砕する破砕機であって、前記破砕手段が軸の廻りに回転する回転体と、この回転体に連結された破砕具とを備えた破砕機において、
前記破砕具の周辺部の破砕面の少なくとも一部分に凹凸が形成され、
前記破砕具の周辺部が前記破砕具の周辺部以外の部分よりも厚く形成され、
前記破砕具の基部と周辺部との間の板状部の両面に凹部が形成されていることを特徴とする破砕機。
【請求項２】
請求項１に記載された破砕機であって、
前記破砕具の破砕面の凹凸が、歯車の歯状に形成されていることを特徴とする破砕機。
【請求項３】
請求項１または２に記載された破砕機であって、
前記回転体が水平な軸の周りに回転することを特徴とする破砕機。
【発明の詳細な説明】
【０００１】
【発明の属する技術分野】
本発明は破砕機に関し、特に木材のチップ、樹皮等を破砕するのに適した破砕機に関するものである。
【０００２】
【従来の技術】
従来から、木材のチップ、樹皮等を破砕するために、破砕機が使用されている。図３は、この破砕機の従来例の正面を示す。
図３において、破砕機３０は、木材のチップ、樹皮等の破砕対象物を搬送するコンベヤ３１、破砕室３２、破砕室３２内に配置された破砕手段３３、破砕した破砕対象物を順次搬送するコンベヤ３４、３５、３６、破砕した破砕対象物を選別する篩３７および篩３７で選別されなかった破砕ずみの破砕対象物をコンベヤ３１に戻すコンベヤ３８を備えている。なお、破砕手段３３はモータ４１によりベルト駆動されるように配設されている。
【０００３】
なお、コンベヤ３１は、矢印３１ｘの方向に破砕対象物を搬送し、コンベヤ３４は、前記破砕された破砕対象物を矢印３４ｘの方向に搬送する。そして、コンベヤ３５は、前記コンベヤ３４で運ばれた前記破砕された破砕対象物を矢印３５ｘの方向に搬送し、コンベヤ３６はコンベヤ３５で搬送された前記破砕された破砕対象物を搬送用皿状体３６ａで掬って矢印３６ｘの方向に搬送する。
コンベヤ３６で搬送された前記破砕された破砕対象物は排出口３６ｂから篩３７の上に落下する。コンベヤ３８は、前記破砕された破砕対象物のうち篩３７で選別されなかったものを矢印３８ｘの方向に搬送する。なお、篩３７で選別されたものは、破砕完了となる。
【０００４】
図４は、図３の破砕手段３３を拡大して示す。図４において、４個の破砕具３３ｈが同一平面状に取付けられている。矢印３３ｘは、破砕手段３３の回転方向を示す。破砕対象物は、回転する破砕具３３ｈの破砕面３３ｈａに当たって破砕される。
【０００５】
図５は、図４のV−V断面を示す。なお、図５においては、破砕手段３３を支える一対の軸受３３ｂ、３３ｃ、プーリ３３ｄおよび破砕室３２の側壁３２ａが付加されている。
破砕手段３３は、水平に配置された回転軸３３ａを回転中心として回転する。回転軸３３ａは、一対の軸受３３ｂ、３３ｃに回動可能に支えられている。回転軸３３ａの図示左端部に取付けられたプーリ３３ｄは、ベルト４１ａ（図３参照）により回転駆動される。回転軸３３ａに心材３３ｅが取付けられている。心材３３ｅに複数のアーム３３ｆが径方向に配設されている。この複数のアーム３３ｆの先端部に複数の軸３３ｇが図示横方向に取り付けられている。そして、多数の破砕具３３ｈが回動自在に複数の軸３３ｇに連結されている。なお、図５では、１本の軸３３ｇに８個の破砕具３３ｈが連結されている。各破砕具３３ｈ間にて、多数のスペーサ３３ｉ、３３ｊが軸３３ｇに取付けられている。
【０００６】
【発明が解決しようとする課題】
しかし、上述の従来の破砕具３３ｈの破砕面３３ｈａは平面状であるので、柔らかい木材のチップ、樹皮等を破砕して繊維状にすることが困難であった。
そこで、本発明が解決しようとする課題は、木材のチップ、樹皮等を破砕して繊維状にすることができる破砕機を提供することである。
【０００７】
【課題を解決するための手段】
上記課題を解決するため、請求項１に記載された発明は、破砕室内に入れられた破砕対象物をこの破砕室内に配設された破砕手段により破砕する破砕機であって、前記破砕手段が軸の廻りに回転する回転体と、この回転体に連結された破砕具とを備えた破砕機において、前記破砕具の周辺部の破砕面（破砕対象物を破砕する面）の少なくとも一部分に凹凸が形成され、前記破砕具の周辺部が前記破砕具の周辺部以外の部分よりも厚く形成され、前記破砕具の基部と周辺部との間の板状部の両面に凹部が形成されていることを特徴とする破砕機である。
請求項１記載の発明により、前記回転体が回転するときに、破砕具が回転するので、この破砕具の破砕面の凹凸が破砕室内の木材のチップ、樹皮等を破砕し、繊維状にすることができる。さらに、破砕具の重量を一定にした場合に、破砕具の慣性モーメントが大きくなるので、破砕対象物に与える打撃力が大きくなる。また、破砕具の周辺部の凹凸が形成された破砕面の面積を大きくすることができる。このため、破砕具が破砕対象物を破砕し易くなる。
【０００８】
さらに、請求項２に記載された発明は、上記請求項１に記載された発明において、前記破砕具の破砕面の凹凸が、歯車の歯状に形成されていることである。これにより、この歯車の歯状の凹凸により木材のチップ、樹皮等を一層破砕し易くなる。
【０００９】
さらに、請求項３に記載された発明は、上記請求項１または２に記載された破砕機であって、前記回転体が水平な軸の周りに回転することを特徴とする破砕機である。
請求項３記載の発明により、水平な軸の周りに回転する前記回転体に連結された破砕具により破砕対象物を破砕することができる。
【００１０】
【発明の実施の形態】
以下、本発明における実施の形態を図面に基いて説明する。図１は本発明の実施の形態に係る破砕機の破砕具を示す。図１において、破砕具１０は、図４の破砕具３３ｈに相当するものである。
破砕具１０の周辺部１１が円弧状に形成されている。この円弧状の周辺部１１に凹凸となる歯部１２が形成されている。各歯部１２の歯先面１２ａは、円弧上に位置している。この円弧の中心は、後述する貫通孔１５である。歯部１２の長さ１２ｂ（図２参照）および歯部１２の間隔１２ｃは、任意である。
破砕具１０は、ほぼ扇状である。扇の要に相当する、破砕具１０の基部１４
に貫通孔１５が形成されている。
【００１１】
図２は、図１のII−II断面である。周辺部１１の厚さ１１ａが破砕具１０の周辺部１１以外の部分の厚さ１０ａよりも厚く形成されている。基部１４と周辺部１１との間の板状部１７の両面に凹部１８、１９が形成されている。
軸２０が貫通孔１５を挿通している。そして、スペーサ２１、２２が破砕具１０を挟むように配置される。軸２０は、従来例の図５の軸３３ｇに相当し、スペーサ２１、２２は従来例の図５のスペーサ３３ｉ、３３ｊに相当する。
【００１２】
このように、破砕具１０は従来例の破砕機３０における破砕手段３３の破砕具３３ｈの代わりに使用される。このため、前記各歯先面１２ａが位置する円弧の径は、破砕具１０が連結される破砕手段（図４の破砕手段３３に相当する。）の回転軸（図４の回転軸３３ａに相当する。）を中心とし、破砕具１０の歯先面１２ａまでを半径とする円弧の径より著しく小さい。このため、前記各歯部１２が破砕対象物を破砕する破砕面となることができる。
これにより、破砕機の破砕性能が下記のように向上する。
【００１３】
１）軸の廻りに回転する回転体に前記回転方向に回動自在に連結された複数の破砕具１０を備えている。このため、破砕対象物中に混入している硬い物体が破砕具１０に当たったときは、破砕具１０が回転方向と逆方向に移動するので、破砕具１０を保護することができる。
前記複数の破砕具１０の周辺部１１が前記貫通孔１５を中心とする円弧状であり、この円弧状の周辺部１１の凹凸として歯部１２が形成されている。このため、前記回転体が回転するときに、複数の破砕具１０が回転するので、この複数の破砕具１０の周辺部１１の凹凸が破砕面となって破砕対象物を破砕する。その際、前記凹凸により破砕面が広くなるとともに、前記凹凸の凸部が破砕対象物に食い込むので、破砕が容易になる。このため、破砕具１０が木材のチップ、樹皮等を破砕し、繊維状にすることが容易になる。
【００１４】
２）さらに、破砕具１０の周辺部１１の凹凸が、歯車の歯部１２の形状に形成されている。これにより、この歯車の歯部１２の凹凸により木材のチップ、樹皮等を一層破砕し易くなる。
【００１５】
３）さらに、複数の破砕具１０の周辺部１１が破砕具１０の周辺部１１以外の部分よりも厚く形成されている。これにより、複数の破砕具１０の重量を一定にした場合に、複数の破砕具１０の慣性モーメントが大きくなり、それだけ破砕対象物に与える打撃力が大きくなる。このため、破砕具１０が木材のチップ、樹皮等を破砕し易くなる。
【００１６】
なお、上記の実施の形態において、破砕具の形状は、図示されたものに限定されず、種々の形状をとることができる。例えば、破砕具の形状を円板状、四角形状、三角形状等にすることもできる。
また、破砕具の数は、複数であるが、これに限定されず１以上の任意の数でもよい。
【００１７】
【発明の効果】
請求項１に記載された発明によれば、木材のチップ、樹皮等を破砕し、繊維状にすることが容易になる。
【００１８】
さらに、請求項２に記載された発明の効果は、上記請求項１に記載された発明の効果とともに、木材のチップ、樹皮等を一層破砕し易くなる。
【００１９】
請求項３記載の発明は、上記請求項１または２に記載された発明の効果とともに、水平な軸の周りに回転する前記回転体に連結された破砕具により破砕対象物を破砕することができる。
【図面の簡単な説明】
【図１】本発明の実施の形態に係る破砕具の正面を示す正面図である。
【図２】図１のII−II断面を示す断面図である。
【図３】従来の破砕機の正面図である。
【図４】図３の破砕機の破砕手段を拡大して示す部分図である。
【図５】図４のVーV断面を示す断面図である。
【符号の説明】
１０  破砕具
１０ａ  周辺部以外の部分の厚さ
１１  周辺部
１１ａ  周辺部の厚さ
１２  歯部
【図１】
0004170011.tif 000002
【図２】
0004170011.tif 000003
【図３】
0004170011.tif 000004
【図４】
0004170011.tif 000005
【図５】
0004170011.tif 000006